(57)【要約】【課題】プラテンガラスに載置された原稿の画像データを読取る画像読取装置において、厚い本などの原稿が上方から強く押し付けられることによってプラテンガラスが破損してしまうのを防止することができる画像読取装置を提供すること。【解決手段】本発明の画像読取装置１は、プラテンガラス２１に載置された原稿の画像データを読取る機能を備え、プラテンガラス２１に対して原稿を押し付ける方向にかかる荷重を検出する荷重センサ７と、検出された荷重に基づいてプラテンガラス２１に対して過負荷がかけられているか否かを判断する過負荷判定部８と、過負荷がかけられていると判断した場合にその旨を報知するための報知処理を行う報知部１３と、を備える。【選択図】      図１
2007003667.tif 000002
【特許請求の範囲】
【請求項１】
プラテンガラスに載置された原稿の画像データを読取る機能を備えた画像読取装置において、前記プラテンガラスに対して原稿を押し付ける方向にかかる荷重を検出する検出手段と、検出された前記荷重に基づいて前記プラテンガラスに対して過負荷がかけられているか否かを判断する判断手段と、過負荷がかけられていると前記判断手段が判断した場合にその旨を報知するための報知処理を行う報知手段と、を備えることを特徴とする画像読取装置。
【請求項２】
前記検出手段は、前記プラテンガラスに対して原稿を押し付ける方向にかかる荷重を検出する荷重センサであり、この荷重センサは、前記プラテンガラスの周縁部を支持する装置本体の支持部材と、前記周縁部との間に介在するように設置されていることを特徴とする請求項１記載の画像読取装置。
【請求項３】
前記プラテンガラスは矩形状のものであって、
前記荷重センサは、前記支持部材と、前記プラテンガラスの４つの周縁部の各中央部分との間に介在するように設置されていることを特徴とする請求項２記載の画像読取装置。
【請求項４】
前記プラテンガラスに対して開閉自在に設置されたプラテンカバーの開閉を検知する検知手段を備え、
前記報知手段は、前記プラテンカバーが閉じられたことを前記検知手段が検知してから所定時間を経過するまでの間、前記報知処理を行わないことを特徴とする請求項１乃至３のいずれか１に記載の画像読取装置。
【請求項５】
前記報知手段は、前記報知処理として警告音を鳴動するものであり、前記検出手段により検出された荷重が大きくなるに従って前記警告音の音量が大きくなるように、その音量を変更して前記警告音を鳴動することを特徴とする請求項１乃至４のいずれか１に記載の画像読取装置。
【請求項６】
読取るべき原稿が載置されるプラテンガラスと、該プラテンガラスに対して開閉自在に設置されたプラテンカバーと、を備える画像読取装置において、
前記プラテンガラスを支持する装置本体の上面に第１の磁石を設けるとともに、前記プラテンカバーが閉じられた際に、該プラテンカバーにおいて前記第１の磁石と対向する位置に当該第１の磁石と反発する第２の磁石を設けたことを特徴とする画像読取装置。
【発明の詳細な説明】
【技術分野】
【０００１】
本発明は、画像読取装置に関し、詳しくは、プラテンガラスに載置された原稿の画像データを読取るフラット・ベッド・スキャナを備える画像読取装置に関する。
【背景技術】
【０００２】
透明な原稿載置板（プラテンガラス）に載置された原稿の画像データを読取る、いわゆるフラット・ベッド・スキャナ（ＦＢＳ：Flat Bed Scanner）を備えた画像読取装置では、プランガラスに対して開閉自在に設置された原稿押圧部材（プラテンカバー）により原稿をプラテンガラスに密着させた状態で、その原稿の読取りが行われる（例えば、特許文献１参照。）。
【０００３】
図８は、特許文献１の画像読取装置のプラテンガラス５１とプラテンカバー５２の構成を示した断面図である。図示するように、プラテンカバー５２は、図外のヒンジによりケーシング５３に対して回動可能となるように設置されており、このプラテンカバー５２の裏面側には、弾性部材としてのスポンジ５４が設けられている。また、プラテンカバー５２の両端部には、その両端部からプラテンガラス５１へ向けて略直角に屈曲されたカバー保持部５５が形成されるとともに、カバー保持部５５の先端には、ゴム等からなる防音材５６が設けられている。
【０００４】
したがって、この特許文献１の画像読取装置によれば、プラテンカバー５２のスポンジ５４によってプラテンガラス５１上に載置された原稿５７をプラテンガラス５１に密着させることができるとともに、カバー保持部５５が防音材５６を介してケーシング５３と当接することにより、プラテンガラス５１上に載置された原稿５７を押圧する押圧力を所定値以下に制限することができる。
【０００５】
ところで、特許文献１に記載の画像読取装置のような従来の画像読取装置において、プラテンガラス上に厚い本などの原稿を載置してその原稿の読取りを行う場合、プラテンカバーを完全に閉じることができず原稿がプラテンガラスに密着しないことが多い。そのため、原稿とプラテンガラスとの間に隙間が生じないようにするために、ユーザがプラテンカバーを押えて原稿をプラテンガラスに押し付けたり、或いは、直接原稿をプラテンガラスに押し付けた状態で原稿の読取りを行っている。
【特許文献１】特開平１１−２４１８０号公報
【発明の開示】
【発明が解決しようとする課題】
【０００６】
しかしながら、このような状態で原稿の読取りを行うことにより、良好な読取画像を得ることができるものの、ユーザが原稿をプラテンガラスに押し付け過ぎた場合には、プラテンガラスが破損するおそれがある。
【０００７】
また、ユーザがプラテンカバーを勢いよく閉じた場合には、プラテンガラスやその周辺部材（特許文献１の装置ではケーシング５３）に対して瞬間的に過度の負荷がかかり、プラテンガラスやその周辺部材が破損するおそれがある。
【０００８】
本発明は、かかる課題に鑑みてなされたものであり、プラテンガラスに載置された原稿の画像データを読取る画像読取装置において、厚い本などの原稿が上方から強く押し付けられることによってプラテンガラスが破損してしまうのを防止することができる画像読取装置を提供することを第１の目的とする。また、本発明は、プラテンガラスに載置された原稿の画像データを読取る画像読取装置において、プラテンカバーが勢いよく閉じられることによってプラテンガラスやその周辺部材が破損してしまうのを防止することができる画像読取装置を提供することを第２の目的とする。
【課題を解決するための手段】
【０００９】
上記第１の目的を達成するために、請求項１記載の画像読取装置は、プラテンガラスに載置された原稿の画像データを読取る機能を備えた画像読取装置において、前記プラテンガラスに対して原稿を押し付ける方向にかかる荷重を検出する検出手段と、検出された前記荷重に基づいて前記プラテンガラスに対して過負荷がかけられているか否かを判断する判断手段と、過負荷がかけられていると前記判断手段が判断した場合にその旨を報知するための報知処理を行う報知手段と、を備えることを特徴としている。
【００１０】
請求項２記載の画像読取装置は、請求項１に記載の画像読取装置において、前記検出手段は、前記プラテンガラスに対して原稿を押し付ける方向にかかる荷重を検出する荷重センサであり、この荷重センサは、前記プラテンガラスの周縁部を支持する装置本体の支持部材と、前記周縁部との間に介在するように設置されていることを特徴としている。
【００１１】
請求項３記載の画像読取装置は、請求項２に記載の画像読取装置において、前記プラテンガラスは矩形状のものであって、前記荷重センサは、前記支持部材と、前記プラテンガラスの４つの周縁部の各中央部分との間に介在するように設置されていることを特徴としている。
【００１２】
請求項４記載の画像読取装置は、請求項１乃至３のいずれか１に記載の画像読取装置において、前記プラテンガラスに対して開閉自在に設置されたプラテンカバーの開閉を検知する検知手段を備え、前記報知手段は、前記プラテンカバーが閉じられたことを前記検知手段が検知してから所定時間を経過するまでの間、前記報知処理を行わないことを特徴としている。
【００１３】
請求項５記載の画像読取装置は、請求項１乃至４のいずれか１に記載の画像読取装置において、前記報知手段は、前記報知処理として警告音を鳴動するものであり、前記検出手段により検出された荷重が大きくなるに従って前記警告音の音量が大きくなるように、その音量を変更して前記警告音を鳴動することを特徴としている。
【００１４】
上記第２の目的を達成するために、請求項６記載の画像読取装置は、読取るべき原稿が載置されるプラテンガラスと、該プラテンガラスに対して開閉自在に設置されたプラテンカバーと、を備える画像読取装置において、前記プラテンガラスを支持する装置本体の上面に第１の磁石を設けるとともに、前記プラテンカバーが閉じられた際に、該プラテンカバーにおいて前記第１の磁石と対向する位置に当該第１の磁石と反発する第２の磁石を設けたことを特徴としている。
【発明の効果】
【００１５】
請求項１に記載の画像読取装置によれば、プラテンガラスに対して過負荷がかけられていると判断手段が判断した場合にその旨を報知するための報知処理を行う報知手段を備えているので、例えば、本等の厚手の原稿がユーザによって上方から強く押し付けられた際に、プラテンガラスが破損するのを防止することができる。
【００１６】
請求項２に記載の画像読取装置によれば、簡単な構成でプラテンガラスにかかる荷重を検出することができ、且つ検出手段が原稿の読取りに影響を与えないという利点がある。
【００１７】
請求項３に記載の画像読取装置によれば、検出手段として機能する荷重センサは、支持部材と、プラテンガラスの４つの周縁部の各中央部分との間に介在するように設置されているので、プラテンガラスの中央部にかかる荷重を正確に検出することができる。
【００１８】
請求項４に記載の画像読取装置によれば、プラテンカバーが勢いよく閉じられた直後にプラテンガラスにかかる瞬間的な過負荷に対しては報知処理を行わず、ユーザが原稿を上から強く押し付けることによりプラテンガラスにかかる過負荷に対してのみ報知処理を行うことができる。
【００１９】
請求項５に記載の画像読取装置によれば、報知手段は、検出手段により検出された荷重が大きくなるに従って警告音の音量が大きくなるように、その音量を変更して警告音を鳴動するので、プラテンガラスにどの程度の過負荷がかかっているかをユーザが容易に把握することができる。
【００２０】
請求項６に記載の画像読取装置によれば、プラテンガラスを支持する装置本体の上面に第１の磁石を設けるとともに、プラテンカバーが閉じられた際に、プラテンカバーにおいて前記第１の磁石と対向する位置に第１の磁石と反発する第２の磁石を設けたので、プラテンカバーが閉じられた瞬間にプラテンガラスや装置本体の上面にかかる衝撃を緩衝することができる。すなわち、プラテンガラスが勢いよく閉じられたことによってプラテンガラスや周辺部材が破損してしまうのを簡単な構成で防止することができる。
【発明を実施するための最良の形態】
【００２１】
以下、本発明の実施の形態に係る画像読取装置について、図面に基づき説明する。図１は、本発明の実施の形態に係る画像読取装置１の構成例を示したブロック図である。この画像読取装置１は、図示するように制御部（ＭＰＵ：Microprocessing Unit）２、ＲＯＭ（Read Only Memory）３、ＲＡＭ（Random Access Memory）４、原稿読取部５、開閉検知部６、荷重センサ７、過負荷判定部８、コーデック（ＣＯＤＥＣ：Coder and Decoder）９、画像メモリ１０、記録部１１、操作部１２、及び報知部１３を備えたものであって、各部２乃至１３は、バス１４によって通信可能に接続されている。
【００２２】
制御部２は、画像読取装置１の各部の動作を制御する。ＲＯＭ３は、制御部２によりこの画像読取装置１の各部の動作が制御されるための各種プログラムを格納している。画像読取装置１の各部の処理動作は、このＲＯＭ３に格納されている各種プログラムに基づいて制御部２が発行する命令に従って行われる。ＲＡＭ４は、画像読取装置１の処理動作に用いる設定情報や動作情報等の各種データを読み出し及び書込み可能な状態で格納している。
【００２３】
コーデック９は、原稿の画像データを符号化（エンコード）・復号（デコード）する。具体的には、原稿読取部５において読取られた原稿の画像データをＭＨ、ＭＲ、ＭＭＲ、ＪＢＩＧ方式等により符号化し、符号化されている画像データを復号する。画像メモリ１０は、コーデック９において符号化された原稿の画像データ、原稿読取部５から直接出力された原稿の画像データ等を格納する。記録部１１は、画像メモリ１０から読み出された後にコーデック９により復号された画像データの画像を用紙に記録するものである。この記録部１１における記録方式としては、例えば、電子写真方式やインクジェット記録方式等の各種の記録方式を用いることができる。
【００２４】
操作部１２は、図１及び図２に示すように、原稿読取部５に原稿の読取り開始等を指示するためのスタートキー１６、コピー部数等を入力するためのテンキー１７など、報知部１３と連動した各種操作キーを備えており、ユーザによる各種の操作はこの操作部１２において行われる。報知部１３は、各種の設定画面や画像読取装置１の動作状態などを文字や図形などで表示するタッチパネル式の液晶表示装置（ＬＣＤ：Liquid Crystal Display）１８や、点灯又は消灯で表示するＬＥＤランプ１９、所定の警告音や音声メッセージを鳴動するスピーカ２０（図２では不図示）などを備えている。
【００２５】
図２は、原稿読取部５の構成を示した概略斜視図であり、図３は、図２において矢符Ａで示す方向から見た原稿読取部５の概略断面図である。原稿読取部５は、図示するように、プラテンガラス２１に載置された原稿の画像データを読取るフラット・ベッド・スキャナ（ＦＢＳ：Flat Bed Scanner）２２及び装置本体（装置フレーム）２３の上面奥に設けられた支持部２４を軸としてプラテンガラス２１に対して開閉自在に設置されたプラテンカバー２５を備えている。なお、図３に示すように、プラテンカバー２５には、原稿トレイ２７に載置された原稿を所定の搬送路２８に沿って搬送した後に排紙トレイ２９へと排出する自動原稿給送装置（ＡＤＦ：Automatic Document Feeder）３０が設けられている。
【００２６】
フラット・ベッド・スキャナ２２は、読取るべき原稿が載置される透明なプラテンガラス２１、自動原稿給送装置３０によって搬送路２８に沿って搬送される原稿又はプラテンガラス２１に載置された原稿に光を照射する光源３２、原稿からの反射光を所定の方向へ導くための反射ミラー３３、反射光を収束する集光レンズ３４、収束光を電気信号に変換して出力するＣＣＤ（Charge Coupled Device）ラインセンサ３５等を備えてなる縮小光学系の画像読取ユニットである。
【００２７】
プラテンカバー２５は、プラテンガラス２１上に載置された原稿を上方から押圧してプラテンガラス２１に密着させるためのものである。なお、このプラテンカバー２５の下面、言い換えれば、プラテンカバー２５のプラテンガラス２１と接する側の表面には、原稿の背景として原稿の周辺部に影が生じるのを防ぐためにプレスシート３７が貼設されており、プラテンガラス２１に載置された原稿は、このプレスシート３７を介してプラテンカバー２５により押圧される。
【００２８】
なお、この原稿読取部５には、図２及び図４に示すように、プラテンガラス２１を支持する装置本体２３の上面に第１の磁石３８を設けるとともに、プラテンカバー２５が閉じられた際に、該プラテンカバー２５において前記第１の磁石３８と対向する位置に当該第１の磁石３８と反発する第２の磁石３９を設けている。言い換えれば、装置本体２３の上面における所定の位置と、プラテンカバー２５が閉じられた際に、プラテンカバー２５において前記所定の位置と対向する位置と、に同極の磁石を設けている。
【００２９】
開閉検知部６は、プラテンガラス２１に対して開閉自在に設置されたプラテンカバー２５の開閉を検知する検知手段として機能するものである。この開閉検知部６は、図２及び図５に示すように、プラテンカバー２５の開閉に従って上下動する被検出体４０と、該被検出体４０を検出する検出センサ４１を備えており、プラテンカバー２５の下面とプラテンガラス２１の上面とがなす角度θがθ１以下となったときに、検出センサ４１が被検出体４０を検出するように構成されている。したがって、開閉検知部６は、検出センサ４１によって被検出体４０が検出されたときに、プラテンカバー２５が閉じられたことを検知でき、逆に検出センサ４１によって被検出体４０が検出されなくなったときに、プラテンカバー２５が開放されたことを検知することができる。
【００３０】
荷重センサ（検出手段）７は、プラテンガラス２１に対して原稿を押し付ける方向にかかる荷重を検出するものであり、プラテンガラス２１にかかる荷重に応じた電気信号（検出信号）を所定の出力先へ出力するものである。この荷重センサ７としては、例えばピエゾ素子などを使用することができる。
【００３１】
荷重センサ７は、図２、図３、図４、及び図６に示すように、プラテンガラス２１の周縁部４２を支持する装置本体２３の支持部材４３と、周縁部４２との間に介在するように設置されている。言い換えれば、プラテンガラス２１の周縁部４２の下面と当接するようにして支持部材４３上に設置されている。なお、プラテンガラス２１は、本実施形態においては矩形状のものであって、荷重センサ７は、支持部材４３と、プラテンガラス２１の４つの周縁部４２ａ（４２）乃至４２ｄ（４２）の各中央部分との間に介在するように設置されている。すなわち、ここでは４つの荷重センサ７ａ（７）乃至７ｄ（７）が設置されている。これにより、プラテンガラス２１の中央部にかかる荷重を正確に検出することができる。但し、設置する荷重センサ７の数やその設置場所はこれに限定されるものではなく、例えば、プラテンガラス２１の四隅と支持部材４３との間に介在するように４つの荷重センサ７を設置したり、１乃至３個の荷重センサ７を用いてプラテンガラス２１にかかる荷重を検出するようにしてもよい。
【００３２】
なお、図４及び図６から明らかなように、荷重センサ７は、プラテンガラス２１を支持する支持部材４３の上面、言い換えれば、ＣＣＤラインセンサ３５の読取範囲外に設けられているため、フラット・ベッド・スキャナ２２による原稿の読取り動作に影響を与えることなく、プラテンガラス２１にかかる荷重を検出することができる。
【００３３】
過負荷判定部８は、荷重センサ７により検出された荷重に基づいてプラテンガラス２１に対して過負荷がかけられているか否かを判断する判断手段として機能するものである。具体的には、複数（ここでは４つ）の荷重センサ７ａ乃至７ｄからそれぞれ入力される検出信号に基づいてプラテンガラス２１に対して過負荷がかけられているか否かを判断する。なお、この過負荷判定部８の処理動作は、制御部２により行うようにしてもよい。報知部１３は、プラテンガラス２１に対して過負荷がかけられていると過負荷判定部８が判断した場合にその旨を報知するための報知処理を行う報知手段として機能する。
【００３４】
この報知部１３による報知処理には、液晶表示装置１８によるメッセージの表示、ＬＥＤランプ１９の点灯或いは点滅、スピーカ２０による警告音或いは音声メッセージの鳴動等が含まれる。すなわち、報知処理として警告音を鳴動する場合には、スピーカ２０が報知手段として機能する。
【００３５】
上記構成を備える画像読取装置１は、自動原稿給送装置３０の原稿トレイ２７に載置された原稿や、プラテンガラス２１に載置された原稿の画像データを読取ってその画像を用紙に記録するコピー機能などを備えている。また、画像読取装置１は、ユーザがこのコピー機能などを利用するためにプラテンガラス２１上に原稿を載置した際に、ユーザにより原稿が上方から押し付けられることによりプラテンガラス２１に対して過度の負荷がかけられた場合に、プラテンガラス２１が破損するのを防止するために、所定の報知処理を行う機能を備えている。
【００３６】
以下、プラテンガラス２１上に原稿が載置され、原稿読取部５において原稿の画像データが読取られる際に、画像読取装置１において行われる処理動作について、図７に示すフローチャートに基づいて説明する。なお、以下のフローチャートに基づいて説明する画像読取装置１の処理動作は、ＲＯＭ３に格納されているプログラムに基づいて制御部２が発行する命令に従って行われる。また、本などの厚手の原稿の読取りを行う場合、プラテンカバー２５を閉じることができない場合があり、図７のフローチャートで説明する処理動作は、プラテンカバー２５が閉じられているか否かに関わらず行われるものである。
【００３７】
制御部２は、まず、プラテンガラス２１に原稿が載置されているか否かを判断する（Ｓ１）。なお、原稿が載置されているか否かは、図示していないが、プラテンガラス２１上の原稿を検出する原稿検出センサの検出信号に基づいて判断することができる。ここで、プラテンガラス２１上に原稿が載置されていると判断した場合（Ｓ１：ＹＥＳ）、プラテンガラス２１に対して原稿を押し付ける方向にかかる荷重を所定の時間間隔で検出する（Ｓ２）。具体的には、４つの荷重センサ７ａ乃至７ｄが、例えば数マイクロ秒間隔でプラテンガラス２１にかかる荷重に応じた検出信号をそれぞれ過負荷判定部８へ出力する。なお、このＳ２の処理動作は、少なくともプラテンガラス２１に原稿が載置されている間は、継続して行われる。
【００３８】
続いて、過負荷判定部８は、４つの荷重センサ７ａ乃至７ｄから入力される荷重の検出信号に基づいて、プラテンガラス２１に対して過負荷がかけられているか否かを判断する（Ｓ３）。具体的には、荷重センサ７から入力される複数回分の検出信号の大きさの平均をとり、その平均値が所定値を超えている荷重センサ７が、４つの荷重センサ７ａ乃至７ｃのうちいずれか１つでもある場合には、プラテンガラス２１に過負荷がかけられていると判断し、そうでない場合には過負荷がかけられていないと判断する。ここで、過負荷がかけられていないと判断した場合（Ｓ３：ＮＯ）、Ｓ１に戻り、プラテンガラス２１上に原稿が載置されていると判断した場合にはＳ２以降の処理動作を行い、逆にプラテンガラス２１上に原稿が載置されていない場合には（Ｓ１：ＮＯ）、処理を終了する。
【００３９】
一方、過負荷判定部８がプラテンガラス２１に対して過負荷がかけられていると判断した場合（Ｓ３：ＹＥＳ）、つまり、プラテンガラス２１が過負荷状態にある場合、報知部１３は、その旨を報知するための報知処理、言い換えれば、プラテンガラス２１に対して過負荷がかけられていることをユーザに報知するための報知処理を行う（Ｓ４）。具体的には、例えば「原稿を押え過ぎています」、「ガラスが破損しないようにご注意下さい」などの警告メッセージを液晶表示装置１８に表示して注意を促す報知処理と、ＬＥＤランプ１９を点灯又は点滅して注意を促す報知処理と、所定の警告音又は音声メッセージをスピーカ２０により鳴動して注意を促す報知処理のうち、少なくともいずれか１つの報知処理を行う。このように、過負荷状態となった際に警告を発することで、ユーザに注意を促し、プラテンガラス２１が破損するのを未然に防止することができる。
【００４０】
なお、上記３つの報知処理のうち、いずれか２つの報知処理を同時に行ったり、或いは、３つの報知処理を全て同時に行うことが好ましく、ここでは、警告メッセージを液晶表示装置１８に表示するとともに、スピーカ２０から所定の警告音を鳴動する。このように、報知処理として警告音を鳴動する処理をスピーカ２０により行う場合には、荷重センサ７により検出された荷重が大きくなるに従って警告音の音量が大きくなるように、スピーカ２０がその音量を変更して警告音を鳴動する。このように、警告音の音量を変更して警告音を鳴動することにより、ユーザは、プラテンガラス２１が破損する危険性がどの程度あるかを警告音の音量から容易に判断することができる。なお、警告音に代えて、音声メッセージを同様に音量を変更して鳴動するようにしてもよい。
【００４１】
次に、過負荷判定部８は、過負荷状態が解除されたか否かを判断する（Ｓ５）。具体的には、荷重センサ７から入力される荷重に応じた検出信号の複数回分の平均値が所定値を超えている荷重センサ７がないか否かを判断する。ここで、過負荷状態が解除されていないと判断した場合（Ｓ５：ＮＯ）、すなわち、前記平均値が所定値を超えている荷重センサ７が１つでもある場合、Ｓ４の処理動作を報知部１３により継続して行う。
【００４２】
一方、過負荷判定部８は、過負荷状態が解除されたと判断した場合（Ｓ５：ＹＥＳ）、すなわち、前記平均値が所定値を超えている荷重センサ７がない状態となった場合、報知部１３は報知処理を停止し（Ｓ６）、処理を完了する。なお、フラット・ベッド・スキャナ２２による原稿の読取り動作は、周知であるためここでは説明しないが、操作部１２のスタートキー１６が押下されることなどにより、原稿の読取り開始命令が入力された場合には、プラテンガラス２１が過負荷状態であるか否かに関わらず、原稿の読取り動作が行われる。
【００４３】
なお、ここでは、過負荷判定部８がプラテンガラス２１に対して過負荷がかけられていると判断した場合に報知部１３が報知処理を直ちに開始する場合について説明したが、プラテンガラス２１に対する過負荷の状態（過負荷状態）を複数の段階に区別し、段階に応じて報知部１３が報知処理を開始するまでの時間を変更するようにしてもよい。
【００４４】
例えば、比較的軽い負荷による過負荷状態を過負荷状態Ａ、比較的重い負荷による過負荷状態を過負荷状態Ｂとし、過負荷判定部８が荷重センサ７から入力された荷重の検出信号に基づいていずれの過負荷状態であるかを判断する。そして、過負荷状態Ｂであると判断した場合には、報知部１３は直ちに報知処理を開始し、過負荷状態Ａであると判断した場合には、報知部１３は過負荷状態Ａであると判断されてから所定の時間（例えば、５秒）を経過した後に引き続き過負荷状態Ａであれば報知処理を開始する。このように、過負荷の程度によって報知処理を開始するまでの時間を変更することにより、必要な場合にのみ適切に報知処理を行うことができる。
【００４５】
ところで、プラテンガラス２１などが破損するおそれがあるのは、プラテンガラス２１に原稿が強く押し付けられた場合に限られたものではない。すなわち、プラテンカバー２５が勢いよく閉じられた際にも、プラテンガラス２１やその周辺部材（ここでは、装置本体２３の上面）に瞬間的に過負荷がかかり、プラテンガラス２１や装置本体２３の上面（例えば、支持部材４３など）が破損するおそれがある。そのため、本実施形態の画像読取装置１では、装置本体２３の上面に第１の磁石３８が、プラテンカバー２５の下面に第２の磁石３９が設けられており、プラテンカバー２５が閉じられた際に、これら２つの磁石３８及び３９の反発力によってプラテンガラス２１や装置本体２３の上面にかかる衝撃が緩衝されるようになっている。
【００４６】
なお、上記説明した報知処理は、ユーザが原稿を強く押し付け過ぎることによってプラテンガラス２１が破損するのを防止することを目的としているため、プラテンカバー２５が閉じられた際にプラテンガラス２１にかかる瞬間的な過負荷についてまで報知処理を行うのは好適でない。そのため、報知部１３は、プラテンカバー２５が閉じられたことを開閉検知部６が検知してから所定時間を経過するまでの間、報知処理を行わないように構成されている。具体的には、プラテンカバー２５が閉じられてから前記所定時間を経過するまでの間、荷重センサ７から出力される荷重の検出信号がマスクされ、これにより報知部１３による報知処理が行われないように、過負荷判定部８並びに報知部１３が制御部２により制御されるようになっている。
【００４７】
そして、プラテンカバー２５が閉じられた瞬間の報知処理を行わない代わりに、第１の磁石３８及び第２の磁石３９によってプラテンガラス２１等にかかる衝撃が緩衝されるようになっている。なお、この第１の磁石３８及び第２の磁石３９は、本実施形態においてはともに永久磁石であるが、第１の磁石３８及び第２の磁石３９として使用する磁石はこれに限定されるものではなく、これらの磁石３８及び３９のうち、いずれか一方又は両方を電磁石としてもよい。この場合、装置コストは上昇するものの、磁気の影響でデータが消失するようなものを原稿としてプラテンガラス２１上に載置して読取りを行う場合には好適である。
【００４８】
このように、電磁石を使用する場合には、プラテンカバー２５が閉じられたことを開閉検知部６が検知した直後に通電して第１の磁石３８と第２の磁石３９とを反発させてプラテンガラス２１やその周辺部材にかかる衝撃を緩衝した後、通電を停止してプラテンカバー２５が自重により原稿をプラテンガラス２１に押し付けるようにすればよい。
【００４９】
また、第１の磁石３８及び第２の磁石３９は、本実施形態においては、ぞれぞれ１個の磁石であるが、第１の磁石３８及び第２の磁石３９の数は特に限定されるものではなく、装置本体２３の上面に複数の第１の磁石３８を設けるとともに、プラテンカバー２５が閉じられた際にこれらの磁石とそれぞれ対向し且つ反発するように、プラテンカバー２５の下面に複数の第２の磁石３９を設けるようにしてもよい。
【００５０】
また、本実施の形態で示した画像読取装置１の構成は、本発明に係る画像読取装置の一態様にすぎず、本発明の要旨を逸脱しない範囲内で適宜設計変更できることは勿論であり、プラテンガラス上に載置された原稿の画像データを読取るフラット・ベッド・スキャナを備えた装置であれば、本実施の形態で示した複写機の他、例えば、ファクシミリ装置、スキャナ装置、及びこれらの複合機としても実現可能である。
【産業上の利用可能性】
【００５１】
本発明は、例えばプラテンガラスに載置された原稿の画像データを読取るフラット・ベッド・スキャナを備える画像読取装置に適用することができる。
【図面の簡単な説明】
【００５２】
【図１】本発明の実施の形態に係る画像読取装置の構成例を示したブロック図である。
【図２】原稿読取部の構成を示した概略斜視図である。
【図３】図２において矢符Ａで示す方向から見た原稿読取部の概略断面図である。
【図４】プラテンガラス及びその周辺を示した上面図である。
【図５】開閉検知部によるプラテンカバーの開閉の検知方法について説明するための図である。
【図６】荷重センサの設置場所について説明するための断面図である。
【図７】プラテンガラス上に原稿が載置された場合に、画像読取装置において行われる処理動作を示したフローチャートである。
【図８】従来の画像読取装置のプラテンガラス及びプラテンカバーの構成を示した断面図である。
【符号の説明】
【００５３】
１    画像読取装置
２    制御部（ＭＰＵ）
５    原稿読取部
６    開閉検知部
７    荷重センサ
８    過負荷判定部
１３    報知部
１８    液晶表示装置
１９    ＬＥＤランプ
２０    スピーカ
２１    プラテンガラス
２２    フラット・ベッド・スキャナ
２３    装置本体
２５    プラテンカバー
３８    第１の磁石
３９    第２の磁石
４２    周縁部
４３    支持部材
【図１】
2007003667.tif 000003
【図２】
2007003667.tif 000004
【図３】
2007003667.tif 000005
【図４】
2007003667.tif 000006
【図５】
2007003667.tif 000007
【図６】
2007003667.tif 000008
【図７】
2007003667.tif 000009
【図８】
2007003667.tif 000010